(57)【要約】【課題】持手部に掛けた指が荷物に接触することを防ぐことができると共に、側壁の外面からの持手部の突出量を従来より抑えることができるコンテナーを提供する。【解決手段】本発明のコンテナー１０では、第１側壁１１に側壁貫通孔５９が形成されると共にその下縁部に回動蓋６０Ｈがヒンジ連結されている。そして、側壁貫通孔５９の上縁部から持手部７０の上部突壁５５が突出し、その上部突壁５５の先端から側壁貫通孔５９の上下方向の中間位置まで折返壁５４が垂下した構造になっている。【選択図】図６
2015051791.tif 000002
【特許請求の範囲】
【請求項１】
指を下方から掛けることが可能な持手部を側壁の外面に備えたコンテナーであって、
前記側壁に形成された側壁貫通孔と、前記側壁貫通孔の下縁部にヒンジ連結されて、コンテナーの内側から前記側壁貫通孔を閉塞する閉塞位置に付勢された回動蓋とを備え、
前記持手部は、前記側壁の外面のうち前記側壁貫通孔の上縁部から突出した上部突壁と、前記上部突壁の先端から前記側壁貫通孔における上下方向の中間位置まで垂下しかつ前記閉塞位置の前記回動蓋との間に指を受け入れ可能な受容空間を有した折返壁とから構成されたことを特徴とするコンテナー。
【請求項２】
前記側壁の外面には、前記側壁貫通孔から両横方向に延びると共に、前記折返壁の下端部と一体になった１対の横リブが備えられたことを特徴とする請求項１に記載のコンテナー。
【請求項３】
前記側壁の外面のうち前記側壁貫通孔の下縁部から突出した下縁突条を備えたことを特徴とする請求項１又は２に記載のコンテナー。
【請求項４】
前記折返壁の内面を、前記側壁の外面に対して平行に配置し、
前記折返壁の内面から前記閉塞位置の前記回動蓋までの間隔を５〜２２［ｍｍ］とし、
前記下縁突条の先端面から前記折返壁の内面までの間隔を３〜１２［ｍｍ］とし、
前記上部突壁の下面から前記折返壁の下面までの上下方向の間隔を５〜２５［ｍｍ］とし、
前記折返壁の下面から前記下縁突条の上面までの上下方向の間隔を１０〜２５［ｍｍ］としたことを特徴とする請求項１乃至３の何れか１の請求項に記載のコンテナー。
【発明の詳細な説明】
【技術分野】
【０００１】
本発明は、指を下方から掛けるための持手部を側壁の外面に備えたコンテナーに関する。
【背景技術】
【０００２】
従来のコンテナーとして、側壁の上端寄り位置に手差孔を形成し、その手差孔の下縁部に回動蓋をヒンジ連結して閉塞位置へと付勢したものが知られている。このコンテナーでは、手差孔の上縁部が持手部となり、手差孔に指先を突入させて回動蓋を押し開け、手差孔の上縁部の内側に指先を回した状態でコンテナーを持ち上げることができる（例えば、特許文献１参照）。また、別の従来のコンテナーとして、側壁の外面から横長の突壁を突出させてその先端部から折返壁を垂下させ、折返壁と側壁の外面との間に指を挿入可能な構造の持手部を備えたものもある。
【先行技術文献】
【特許文献】
【０００３】
【特許文献１】特許第４９２１０５３号公報（図１，図１４）
【発明の概要】
【発明が解決しようとする課題】
【０００４】
しかしながら、手差孔を備えた従来のコンテナーでは、その手差孔に挿入した指がコンテナー内の荷物と接触して、指で荷物（例えば、食品）を傷つけたり、逆に、荷物（例えば、機械部品）で指を傷つけるような事態が生じ得た。一方、折返壁を備えた従来のコンテナーでは、持手部が側壁の外面から大きく突出して邪魔になるという問題が生じていた。
【０００５】
本発明は、上記事情に鑑みてなされたもので、持手部に掛けた指が荷物に接触することを防ぐことができると共に、側壁の外面からの持手部の突出量を従来より抑えることができるコンテナーの提供を目的とする。
【課題を解決するための手段】
【０００６】
上記目的を達成するためになされた請求項１の発明に係るコンテナーは、指を下方から掛けることが可能な持手部を側壁の外面に備えたコンテナーであって、側壁に形成された側壁貫通孔と、側壁貫通孔の下縁部にヒンジ連結されて、コンテナーの内側から側壁貫通孔を閉塞する閉塞位置に付勢された回動蓋とを備え、持手部は、側壁の外面のうち側壁貫通孔の上縁部から突出した上部突壁と、上部突壁の先端から側壁貫通孔における上下方向の中間位置まで垂下しかつ閉塞位置の回動蓋との間に指を受け入れ可能な受容空間を有した折返壁とから構成されたところに特徴を有する。
【０００７】
請求項２の発明は、請求項１に記載のコンテナーにおいて、側壁の外面には、側壁貫通孔から両横方向に延びると共に、折返壁の下端部と一体になった１対の横リブが備えられたところに特徴を有する。
【０００８】
請求項３の発明は、請求項１又は２に記載のコンテナーにおいて、側壁の外面のうち側壁貫通孔の下縁部から突出した下縁突条を備えたところに特徴を有する。
【０００９】
請求項４の発明は、請求項１乃至３の何れか１の請求項に記載のコンテナーにおいて、折返壁の内面を、側壁の外面に対して平行に配置し、折返壁の内面から閉塞位置の回動蓋までの間隔を５〜２２［ｍｍ］とし、下縁突条の先端面から折返壁の内面までの間隔を３〜１２［ｍｍ］とし、上部突壁の下面から折返壁の下面までの上下方向の間隔を５〜２５［ｍｍ］とし、折返壁の下面から下縁突条の上面までの上下方向の間隔を１０〜２５［ｍｍ］としたところに特徴を有する。
【発明の効果】
【００１０】
［請求項１の発明］
請求項１のコンテナーでは、持手部が、側壁の外面に備えた上部突壁の先端から折返壁を垂下した構造をなしている。これにより、指をフック状に折り曲げて折返壁の内側に潜らせた状態にしてコンテナーを持ち上げることができる。ここで、単に側壁から持手部の上部突壁を突出させてその先端から折返壁を垂下しただけの構成であれば、側壁の外面からの持手部の突出量を抑えようとすると、折返壁の内側に手を潜らせることができなくなる。これに対し、本願発明では、側壁に側壁貫通孔を形成すると共にその下縁部に回動蓋をヒンジ連結しておき、側壁貫通孔の上縁部から持手部の上部突壁を突出させてその先端から折返壁を垂下させたので、側壁の外面からの持手部の突出量を抑えても、指の甲で回動蓋を押し拡げながら折返壁の内側に指を潜らせることができる。しかも、折返壁の内側に潜らせた指は、コンテナーの内側から回動蓋に覆われるので荷物に接触することがない。即ち、本願発明のコンテナーによれば、持手部に掛けた指が荷物に接触することを防ぐことができると共に、側壁の外面からの持手部の突出量を従来より抑えることができる。
【００１１】
［請求項２の発明］
請求項２のコンテナーでは、側壁貫通孔から両横方向に延びた１対の横リブが、折返壁の下端部と一体になり、折返壁が補強される。
【００１２】
［請求項３の発明］
請求項３のコンテナーでは、側壁貫通孔の下縁部が下縁突条によって補強される。また、指の代わりにフックを折返壁の内側に潜らせたときには、フックのうち先端から離れた位置に下縁突条が当接し、下縁突条を支点にフックの先端を折返壁の内面に押し付けるように係止させることができる。
【００１３】
［請求項４の発明］
請求項４のコンテナーのように、折返壁の内面を、側壁の外面に対して平行に配置し、折返壁の内面から閉塞位置の回動蓋までの間隔を５〜２２［ｍｍ］とし、下縁突条の先端面から折返壁の内面までの間隔を３〜１２［ｍｍ］とし、上部突壁の下面から折返壁の下面までの上下方向の間隔を５〜２５［ｍｍ］とし、折返壁の下面から下縁突条の上面までの上下方向の間隔を１０〜２５［ｍｍ］とすることで、一般的な成人男性の指でも折返壁の内側に潜らせることができ、側壁の外面からの持手部の突出量を抑えることもできる。
【図面の簡単な説明】
【００１４】
【図１】本発明の第１実施形態に係る折畳コンテナーの組立状態の斜視図
【図２】第２側壁の一部拡大斜視図
【図３】第１側壁の一部拡大斜視図
【図４】第１側壁の側断面図
【図５】カバープレートを外した第１側壁の側断面図
【図６】持手部に指先を掛けた状態の第１側壁の側断面図
【図７】持手部にフックを掛けた状態の第１側壁の側断面図
【発明を実施するための形態】
【００１５】
以下、本発明の一実施形態を図１〜図７に基づいて説明する。図１に示すように、本実施形態に係るコンテナー１０は、所謂、折畳コンテナーであって、上面が開放しかつ平面形状が長方形の箱状になっていて、底壁３０における１対の短辺側の外縁部に１対の第１側壁１１，１１が回動可能に連結されると共に、底壁３０における１対の長辺側の外縁部に１対の第２側壁２１，２１が回動可能に連結されている。そして、コンテナー１０は、第１及び第２の側壁１１，２１を底壁３０から起立させた組立状態（図１参照）と、その組立状態から１対の第１側壁１１，１１を底壁３０の上に折り畳んでから、それら第１側壁１１，１１の上に１対の第２側壁２１を折り畳んだ折畳状態（図示せず）とに変更することができる。
【００１６】
なお、第１側壁１１，１１の高さは、底壁３０の長辺の１／２以下になっていると共に、第２側壁２１，２１の高さは、底壁３０の短辺の１／２以下になっている。これにより、本実施形態のコンテナー１０では、折畳状態で第１側壁１１，１１同士は互いに重なり合わず、同様に第２側壁２１，２１同士も互いに重なり合わない。
【００１７】
各第２側壁２１の両側縁部からは、第１側壁１１，１１側に向かって１対のサイド突壁２２，２２が突出している。各サイド突壁２２は、第２側壁２１の上端部から下端寄り位置まで延びた帯板状をなし、各サイド突壁２２における長手方向の複数位置には、連結孔２２Ａが貫通形成されている。
【００１８】
図３に示すように、第１側壁１１の外面からは、両側縁に沿った複数位置から連結孔２２Ａに対応した複数の連結突部１２Ａが突出している。そして、コンテナー１０が組立状態になると、図１に示すように、各第１側壁１１が１対の第２側壁２１，２１に間に挟まって、それら第２側壁２１，２１が内側に倒れることを規制し、サイド突壁２２が第１側壁１１の側縁部に外側から重なって第１側壁１１が外側に倒れることを規制し、さらに、サイド突壁２２の連結孔２２Ａに第１側壁１１の連結突部１２Ａが凹凸係合して、第２側壁２１が外側に倒れることを規制する。
【００１９】
また、図２に示すように、各サイド突壁２２のうち第１側壁１１側を向いた面の上端寄り位置からは、門形突部２４が突出している。門形突部２４は、サイド突壁２２から突出した１対の脚部２４Ａ，２４Ａを上下に並べ、それら脚部２４Ａ，２４Ａの先端間を先端連絡部２４Ｂで連絡した門形構造をなしている。そして、第１側壁１１に備えた後述するロックバー４０（図１参照）の先端部が、門形突部２４内に側方から凹凸係合することで、起立姿勢の第１側壁１１が内側に倒れることを規制し、これによりコンテナー１０全体が組立状態にロックされる。
【００２０】
図１に示すように、第１及び第２の側壁１１，２１の外面からはリブ１１Ｌ，２１Ｌが突出している。リブ１１Ｌ，２１Ｌは、第１及び第２の側壁１１，２１の外縁部全体に配置されると共に、横方向に延びたリブ１１Ｌ，２１Ｌが第１及び第２の側壁１１，２１の上寄りに偏在している。また、第１側壁１１においては、縦方向に延びたリブ１１Ｌが横方向の両端寄り位置に偏在し、第２側壁２１におていは、縦方向に延びたリブ２１Ｌが横方向における複数位置に散在している。
【００２１】
第１側壁１１が有するリブ１１Ｌの詳細構造は、以下のようになっている。即ち、第１側壁１１の上部に偏在した横リブ群のうち最上端に配置された第１横リブ１６Ａと、上から４番目に配置された第４横リブ１６Ｄとは、第１側壁１１の横方向の略全体に亘って連続して延び、第１側壁１１の横方向における中央部には、第１と第４の横リブ１６Ａ，１６Ｄ間を連絡した１対の中央縦リブ１５，１５が左右対称に備えられている。そして、中央縦リブ１５，１５と第１と第４の横リブ１６Ａ，１６Ｄとに四方を囲まれた機構部屋１１Ｋに、操作部材４１が組み付けられると共に、その操作部材４１の外側から操作部カバー４２が装着されている。また、操作部カバー４２の横方向の中央部分には、上端から下端寄り位置に亘って操作窓部４２Ｗが形成され、操作部材４１の一部が操作窓部４２Ｗを通して露出している。操作部材４１は、操作部カバー４２内において第１側壁１１の横方向を向いた回動軸を中心に回動可能に支持されると共に、図示しない弾性片を一体に備えて回動範囲の一端側のロック位置に付勢されている。そして、操作部材４１は、操作窓部４２Ｗから露出した部分を下方に押圧されると回動してロック解除位置まで移動する。
【００２２】
第１側壁１１の上部に偏在した横リブ群のうち上から２番目と３番目とに配置された第２と第３の横リブ１６Ｂ，１６Ｃは、中央縦リブ１５，１５から両側方に延びている。そして、中央縦リブ１５，１５から両側で、第２と第３の横リブ１６Ｂ，１６Ｃに挟まれた部分が１対のバー収容部４０Ａ，４０Ａになっていて、そこに１対のロックバー４０，４０が収容されている。また、それら各ロックバー４０の基端部は、操作部カバー４２の内側に受容されて、操作部材４１にカム連結されている。一方、各ロックバー４０の先端部は、第１側壁１１のバー収容部４０Ａの端部に設けられたカバー壁１９の内側に通されて側方に突出している。そして、操作部材４１のロック位置からロック解除位置へと移動すると、それに連動してロックバー４０，４０が第１側壁１１の横方向の中央側へと直動してそれらのロックバー４０，４０の先端部がカバー壁１９内へと退避する。
【００２３】
また、ロックバー４０の先端部には、サイド突壁２２側を向く側に図示しない摺接斜面を有し、起立姿勢の第２側壁２１，２１のサイド突壁２２，２２に向けて第１側壁１１を回動させると、各ロックバー４０の摺接斜面が、第２側壁２１の門形突部２４（図２参照）の先端連絡部２４Ｂに摺接して、第１側壁１１の横方向の中心側に移動する。そして、連結突部１２Ａが連結孔２２Ａに係合したところで、ロックバー４０，４０が元の位置に弾性復帰して、各ロックバー４０の先端部が門形突部２４に係合する。これにより、第１側壁１１の起立姿勢からの回動が規制される。また、操作部材４１を押し下げるようにロック解除操作を行うと、ロックバー４０と門形突部２４との係合が解除されて、第１側壁１１を起立姿勢から折畳姿勢へと回動することができる。
【００２４】
図３に示すように、機構部屋１１Ｋの下方には、側壁貫通孔５９が形成されている。側壁貫通孔５９は、横長の四角形をなし、側壁貫通孔５９の両側辺は、中央縦リブ１５，１５より第１側壁１１の横方向の中心側に僅かにずれた位置に配置され、側壁貫通孔５９の上辺は、第４横リブ１６Ｄの下面に位置している。また、図１に示すように、第１側壁１１の内面には、側壁貫通孔５９の周囲に内側面凹部６９が段付き状に陥没形成され、そこにカバープレート６０が収まっている。さらに、第１側壁１１の内面における内側面凹部６９の陥没に伴って、第１側壁１１の外面には、側壁貫通孔５９の周囲から段付き状に外面隆起部５６が突出している。
【００２５】
内側面凹部６９の下辺部分は、内側面凹部６９の上辺部分及び両側辺部分に比べて幅広になっていて、そこには複数の取付孔５６Ａ（図３参照）が貫通形成されている。また、図５に示すように、内側面凹部６９の下辺部分には、その下縁部に沿って係止溝５３Ａが形成されている。係止溝５３Ａは、断面四角形になっていて、第１側壁１１の外面における係止溝５３Ａの裏側部分は、外面隆起部５６の下辺部分における下縁部から段付き状に横長土手部５３が突出している。
【００２６】
図１に示すように、カバープレート６０は、全体が内側面凹部６９に、丁度、収まった略平板状になっている。また、図４に示すように、カバープレート６０のうちコンテナー１０の内側を向いた内面には、側壁貫通孔５９の下辺と重なる位置に横方向に延びた折曲溝６３が形成されている。折曲溝６３は、断面半円形をなしていて、カバープレート６０のうち折曲溝６３より外面側部分は、カバープレート６０全体より薄肉のヒンジ部６３Ｈになっている。そして、ヒンジ部６３Ｈより上側が本発明に係る回動蓋６０Ｈをなす一方、ヒンジ部６３Ｈより下側が回動蓋６０Ｈを支持するベース部６０Ｂになっていて、ヒンジ部６３Ｈを中心にベース部６０Ｂに対して回動蓋６０Ｈが回動する。なお、カバープレート６０は、ヒンジ部６３Ｈで曲がっていなければ、内側面凹部６９から第１側壁１１の内面側に突出しないようになっている。
【００２７】
ベース部６０Ｂからは、前方に複数の固定突部６２が突出し、それら固定突部６２の先端部から側方に係止突起６２Ａが張り出している。そして、固定突部６２群が取付孔５６Ａ（図３参照）に押し込まれて貫通し、係止突起６２Ａが第１側壁１１の外面側から取付孔５６Ａの開口縁に係止している。これにより、ベース部６０Ｂが第１側壁１１に固定されている。また、図４に示すように、カバープレート６０の下縁部からは、係止突条６４が突出していて、係止溝５３Ａに係止している。
【００２８】
回動蓋６０Ｈのうち側壁貫通孔５９を通して第１側壁１１の外側を向いた面には、補強突条６１が形成されている。なお、補強突条６１は、側壁貫通孔５９より一回り小さくかつコーナーが湾曲した枠形状から上辺の直線部分全体を排除した形状をなしている。
【００２９】
図３に示すように、機構部屋１１Ｋの下端の第４横リブ１６Ｄにおける長手方向の中間部分は、側壁貫通孔５９の上縁部分から張り出した本発明に係る上部突壁５５になっている。そして、上部突壁５５の先端部から第５横リブ１６Ｅまで本発明に係る折返壁５４が垂下され、その折返壁５４と上部突壁５５とから本発明に係る持手部７０が構成されている。また、側壁貫通孔５９を閉塞している回動蓋６０Ｈと折返壁５４との間が、本発明に係る受容空間７０Ｋになっている。
【００３０】
また、側壁貫通孔５９の両側部の開口縁からは、１対のサイド補強リブ５０，５０が突出して、それぞれ第４と第５の横リブ１６Ｄ，１６Ｅ及び折返壁５４に繋がっている。また、第５横リブ１６Ｅは、側壁貫通孔５９の上下方向における中心より僅かに下方にずれた位置に配置され、その第５横リブ１６Ｅより下側における側壁貫通孔５９の両側部の開口縁からは、１対のサイド三角リブ５１，５１が突出している。各サイド三角リブ５１は、各サイド補強リブ５０の延長線上に配置され、それら各サイド三角リブ５１と各サイド補強リブ５０の側壁貫通孔５９に臨んだ面は、面一になっている。なお、各サイド三角リブ５１は、側壁貫通孔５９の下端部を超えて横長土手部５３まで延びている。また、第１側壁１１の外面のうち側壁貫通孔５９の下縁部からは下縁突条５８が突出していて、１対のサイド三角リブ５１，５１の間を連絡している。
【００３１】
なお、図４に示した本実施形態のコンテナー１０における主要寸法Ｌ１〜Ｌ４は、以下のようになっている。即ち、折返壁５４の内面から閉塞位置の回動蓋６０Ｈまでの間隔（図４もＬ３＋Ｌ４）が５〜２２［ｍｍ］（例えば、９［ｍｍ］）であり、下縁突条５８の先端面から折返壁５４の内面までの間隔（図４のＬ３）が３〜１２［ｍｍ］（例えば、５．６［ｍｍ］）であり、上部突壁５５の下面から折返壁５４の下面までの上下方向の間隔（図４のＬ１）が５〜２５［ｍｍ］（例えば、１９［ｍｍ］）であり、折返壁５４の下面から下縁突条５８の上面までの上下方向の間隔（図４のＬ２）が１０〜２５［ｍｍ］（例えば、１５．５［ｍｍ］）になっている。
【００３２】
本実施形態のコンテナー１０の構成に関する説明は以上である。次に、本実施形態の作用・効果について説明する。本実施形態のコンテナー１０では、上述したように持手部７０は、第１側壁１１の外面に備えた上部突壁５５の先端から折返壁５４を垂下した構造をなしている。これにより、図６に示すように、指をフック状に折り曲げて折返壁５４の内側に潜らせた状態にしてコンテナー１０を持ち上げることができる。ここで、単に第１側壁１１から持手部７０の上部突壁５５を突出させてその先端から折返壁５４を垂下しただけの構成であれば、第１側壁１１の外面からの持手部７０の突出量を抑えようとすると、折返壁５４の内側に手を潜らせることができなくなる。しかしながら、本実施形態のコンテナー１０では、第１側壁１１に側壁貫通孔５９を形成すると共にその下縁部に回動蓋６０Ｈをヒンジ連結しておき、側壁貫通孔５９の上縁部から持手部７０の上部突壁５５を突出させてその先端から折返壁５４を垂下させたので、第１側壁１１の外面からの持手部７０の突出量を抑えても、指の甲で回動蓋６０Ｈを押し拡げながら折返壁５４の内側に指を潜らせることができる。しかも、折返壁５４の内側に潜らせた指は、コンテナー１０の内側から回動蓋６０Ｈに覆われるので荷物に接触することがない。即ち、本実施形態のコンテナー１０によれば、持手部７０に掛けた指が荷物に接触することを防ぐことができると共に、第１側壁１１の外面からの持手部７０の突出量を従来より抑えることができる。
【００３３】
また、図７に示すように、指の代わりにフックＦを持手部７０に掛けることができる。具体的には、図７に示したフックＦは、丸棒を先端寄り位置でＶ字状に折り曲げた構造をなしていて、このフックＦを下方から折返壁５４の内側に挿入して傾きを変更すると、フックＦのうち先端から離れた位置に下縁突条５８が当接し、下縁突条５８を支点にフックＦの先端を折返壁５４の内面に押し付けるようにして係止させることができる。
【００３４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３５】
（１）前記実施形態の折返壁５４は、サイド補強リブ５０及び第５横リブ１６Ｅが両側部に連結していて補強されていたが（図３参照）、上部突壁５５の先端から折返壁５４を片持ち梁状に垂下させた構成にしてもよい。
【００３６】
（２）前記実施形態のコンテナー１０は、所謂、折畳コンテナーであったが、折り畳み不能なコンテナーに本発明を適用してもよい。
【００３７】
（３）前記実施形態のコンテナー１０では、折返壁５４が第１側壁１１の外面と平行であったが、折返壁５４が下方に向かうに従って第１側壁１１の外面から離れるように傾斜していてもよい。
【符号の説明】
【００３８】
１０    コンテナー
１１    第１側壁
１６Ｅ  第５横リブ
２１    第２側壁
５４    折返壁
５５    上部突壁
５９    側壁貫通孔
６０Ｈ  回動蓋
６９    内側面凹部
７０    持手部
７０Ｋ  受容空間
Ｆ      フック
【図１】
2015051791.tif 000003
【図２】
2015051791.tif 000004
【図３】
2015051791.tif 000005
【図４】
2015051791.tif 000006
【図５】
2015051791.tif 000007
【図６】
2015051791.tif 000008
【図７】
2015051791.tif 000009